(57)【要約】【課題】従来技術において、銀行口座の２以上の入出金情報を有効に利用できなかった。【解決手段】銀行口座に対する入出金に関する２以上の入出金情報が格納される入出金情報格納部と、２以上の各入出金情報の一部を用いて選択可能な２以上のオブジェクトを構成するオブジェクト構成部と、２以上のオブジェクトを有する画面を構成するための画面情報を取得する画面情報取得部と、画面情報を出力する出力部とを具備する会計情報処理装置により、銀行口座の２以上の入出金情報を有効に利用できる。【選択図】図２
2019153027.tif 000002
【特許請求の範囲】
【請求項１】
銀行口座に対する入出金に関する２以上の入出金情報が格納される入出金情報格納部と、
前記２以上の各入出金情報の一部を用いて選択可能な２以上のオブジェクトを構成するオブジェクト構成部と、
前記２以上のオブジェクトを有する画面を構成するための画面情報を取得する画面情報取得部と、
前記画面情報を出力する出力部とを具備する会計情報処理装置。
【請求項２】
前記２以上のオブジェクトのうちの１以上のオブジェクトの選択を受け付ける選択受付部をさらに具備し、
前記画面情報取得部は、
前記選択受付部が受け付けた選択に対応する１以上の各オブジェクトに対応する入出金情報を取得し、当該１以上の入出金情報を有する画面情報を取得する請求項１記載の会計情報処理装置。
【請求項３】
２以上の伝票データが格納される伝票データ格納部と、
２以上の伝票データの登録の指示である一括登録指示を受け付ける指示受付部と、
前記指示受付部が一括登録指示を受け付けた場合に、前記画面情報が有する２以上のオブジェクトに対応する入出金情報を用いて構成された２以上の伝票データを前記伝票データ格納部に蓄積する蓄積部とをさらに具備する請求項１または請求項２記載の会計情報処理装置。
【請求項４】
前記入出金情報格納部の２以上の各入出金情報に対して、蓄積される伝票データに対して、さらに情報の入力が必要か否かを判断する判断部をさらに具備し、
前記蓄積部は、
前記判断部が蓄積される伝票データに対して、さらに情報の入力が必要ない、と判断した１以上の各入出金情報を用いて構成された１以上の伝票データを前記伝票データ格納部に蓄積する請求項３記載の会計情報処理装置。
【請求項５】
前記入出金情報格納部の２以上の各入出金情報に対して、蓄積される伝票データに対して、さらに情報の入力が必要か否かを判断する判断部をさらに具備し、
前記オブジェクト構成部は、
前記２以上の各入出金情報ごとに、前記判断部の判断結果を視覚的に明示するオブジェクトを構成する請求項１から請求項３いずれか一項に記載の会計情報処理装置。
【請求項６】
前記オブジェクト構成部は、
前記入出金情報の一部である金額または摘要のうちの１以上の情報を含むオブジェクトを構成する請求項１から請求項５いずれか一項に記載の会計情報処理装置。
【請求項７】
前記オブジェクト構成部は、
前記２以上の各入出金情報の一部を用いて、入出金情報の種類である種類情報が視覚的に区別可能な態様で表出している２以上のオブジェクトを構成する請求項１から請求項６いずれか一項に記載の会計情報処理装置。
【請求項８】
銀行口座に対する入出金に関する２以上の入出金情報が格納される入出金情報格納部と、オブジェクト構成部と、画面情報取得部と、出力部とにより実現される会計情報処理方法であって、
前記オブジェクト構成部が、前記２以上の各入出金情報の一部を用いて選択可能な２以上のオブジェクトを構成するオブジェクト構成ステップと、
前記画面情報取得部が、前記２以上のオブジェクトを有する画面を構成するための画面情報を取得する画面情報取得ステップと、
前記出力部が、前記画面情報を出力する出力ステップとを具備する会計情報処理方法。
【請求項９】
銀行口座に対する入出金に関する２以上の入出金情報が格納される入出金情報格納部にアクセス可能なコンピュータを、
前記２以上の各入出金情報の一部を用いて選択可能な２以上のオブジェクトを構成するオブジェクト構成部と、
前記２以上のオブジェクトを有する画面を構成するための画面情報を取得する画面情報取得部と、
前記画面情報を出力する出力部として機能させるためのプログラム。
【発明の詳細な説明】
【技術分野】
【０００１】
本発明は、会計に関する会計情報を処理する会計情報処理装置等に関するものである。
【背景技術】
【０００２】
従来、会計事務所の顧問先にて取引内容を会計処理または税務処理特有の記述ルールに基づいた質問に対する回答を入力させ、その結果から事務所側でその勘定科目や税区分を判断するのに役立つ情報を取得することにより、ユーザの会計情報の入力を支援するようシステムがあった（特許文献１参照）。
【先行技術文献】
【特許文献】
【０００３】
【特許文献１】特開２０１４−２０６９６０号公報
【発明の概要】
【発明が解決しようとする課題】
【０００４】
しかしながら、従来技術においては、銀行口座の２以上の入出金情報を有効に利用できない、という課題があった。
【課題を解決するための手段】
【０００５】
本第一の発明の会計情報処理装置は、銀行口座に対する入出金に関する２以上の入出金情報が格納される入出金情報格納部と、２以上の各入出金情報の一部を用いて選択可能な２以上のオブジェクトを構成するオブジェクト構成部と、２以上のオブジェクトを有する画面を構成するための画面情報を取得する画面情報取得部と、画面情報を出力する出力部とを具備する会計情報処理装置である。
【０００６】
かかる構成により、銀行口座の２以上の入出金情報を分かりやすく出力できる。
【０００７】
また、本第二の発明の会計情報処理装置は、第一の発明に対して、２以上のオブジェクトのうちの１以上のオブジェクトの選択を受け付ける選択受付部をさらに具備し、画面情報取得部は、選択受付部が受け付けた選択に対応する１以上の各オブジェクトに対応する入出金情報を取得し、１以上の入出金情報を有する画面情報を取得する会計情報処理装置である。
【０００８】
かかる構成により、銀行口座の入出金情報のオブジェクトに対する指示により、簡単に入出金情報を出力できる。
【０００９】
また、本第三の発明の会計情報処理装置は、第一または第二の発明に対して、２以上の伝票データが格納される伝票データ格納部と、２以上の伝票データの登録の指示である一括登録指示を受け付ける指示受付部と、指示受付部が一括登録指示を受け付けた場合に、画面情報が有する２以上のオブジェクトに対応する入出金情報を用いて構成された２以上の伝票データを伝票データ格納部に蓄積する蓄積部とをさらに具備する会計情報処理装置である。
【００１０】
かかる構成により、銀行口座の入出金情報に対応する２以上の伝票データを一括登録できる。
【００１１】
また、本第四の発明の会計情報処理装置は、第三の発明に対して、入出金情報格納部の２以上の各入出金情報に対して、蓄積される伝票データに対して、さらに情報の入力が必要か否かを判断する判断部をさらに具備し、蓄積部は、判断部が蓄積される伝票データに対して、さらに情報の入力が必要ない、と判断した１以上の各入出金情報を用いて構成された１以上の伝票データを伝票データ格納部に蓄積する会計情報処理装置である。
【００１２】
かかる構成により、伝票データの登録のために、情報の追加が完了した入出金情報、または情報の追加の作業が不要な入出金情報に基づいて、２以上の伝票データを一括登録できる。
【００１３】
また、本第五の発明の会計情報処理装置は、第一から第三いずれか１つの発明に対して、入出金情報格納部の２以上の各入出金情報に対して、蓄積される伝票データに対して、さらに情報の入力が必要か否かを判断する判断部をさらに具備し、オブジェクト構成部は、２以上の各入出金情報ごとに、判断部の判断結果を視覚的に明示するオブジェクトを構成する会計情報処理装置である。
【００１４】
かかる構成により、伝票データの登録のために、情報の追加の作業が必要な入出金情報と、情報の追加の作業が不要な入出金情報とが容易に把握できるために、作業効率を向上させることができる。
【００１５】
また、本第六の発明の会計情報処理装置は、第一から第五いずれか１つの発明に対して、オブジェクト構成部は、入出金情報の一部である金額または摘要のうちの１以上の情報を含むオブジェクトを構成する会計情報処理装置である。
【００１６】
かかる構成により、入出金情報の内容が把握しやすいオブジェクトを含む画面を出力できる。
【００１７】
また、本第七の発明の会計情報処理装置は、第一から第六いずれか１つの発明に対して、オブジェクト構成部は、２以上の各入出金情報の一部を用いて、入出金情報の種類である種類情報が視覚的に区別可能な態様で表出している２以上のオブジェクトを構成する会計情報処理装置である。
【００１８】
かかる構成により、ユーザが入出金情報の種類を簡単に把握できる。
【発明の効果】
【００１９】
本発明による会計情報処理装置によれば、銀行口座の２以上の入出金情報を有効に利用できる。
【図面の簡単な説明】
【００２０】
【図１】実施の形態１における会計情報システムＡの概念図
【図２】同会計情報システムＡのブロック図
【図３】同会計情報処理装置１の動作例について説明するフローチャート
【図４】同オブジェクトの構成処理の例について説明するフローチャート
【図５】同端末装置２の動作例について説明するフローチャート
【図６】同入出金情報管理表を示す図
【図７】同伝票管理表を示す図
【図８】同オブジェクト表示画面の例を示す図
【図９】同出力例を示す図
【図１０】同出力例を示す図
【図１１】同伝票管理表を示す図
【図１２】同コンピュータシステムの概観図
【図１３】同コンピュータシステムのブロック図
【発明を実施するための形態】
【００２１】
以下、会計情報処理装置等の実施形態について図面を参照して説明する。なお、実施の形態において同じ符号を付した構成要素は同様の動作を行うので、再度の説明を省略する場合がある。
【００２２】
（実施の形態１）
本実施の形態において、銀行口座に対する２以上の入出金情報を受け付け、各入出金情報に対応する２以上の選択可能なオブジェクトを有する画面を構成し、出力する会計情報システムについて説明する。
【００２３】
また、本実施の形態において、選択されたオブジェクトに対応する１または２以上の入出金情報のみの詳細を出力する会計情報システムについて説明する。
【００２４】
また、本実施の形態において、銀行口座に対する２以上の入出金情報を用いて、伝票データの一括登録が可能な会計情報システムについて説明する。
【００２５】
また、本実施の形態において、伝票データの完成のために、情報追加が必要な入出金情報と情報追加が不要な入出金情報とを視覚的に区別可能なように２以上のオブジェクトを表示する会計情報システムについて説明する。
【００２６】
さらに、入金情報と出金情報とを視覚的に区別して表示する会計情報システムについて説明する。
【００２７】
図１は、本実施の形態における会計情報システムＡの概念図である。会計情報システムＡは、会計情報処理装置１、および１または２以上の端末装置２を備える。会計情報処理装置１は、例えば、いわゆるクラウドサーバ、ＡＳＰサーバ等のサーバ装置である。会計情報処理装置１は、会計情報に関する処理を行う装置である。端末装置２は、ユーザが使用する端末である。端末装置２は、いわゆるパーソナルコンピュータ、タブレット端末、スマートフォン等であり、その形状、種類等は問わないことは言うまでもない。
【００２８】
図２は、本実施の形態における会計情報システムＡのブロック図である。
【００２９】
会計情報処理装置１は、格納部１１、受付部１２、処理部１３、および出力部１４を備える。格納部１１は、画面格納部１１１、入出金情報格納部１１２、および伝票データ格納部１１３を備える。受付部１２は、指示受付部１２１、選択受付部１２２、およびデータ受付部１２３を備える。処理部１３は、オブジェクト構成部１３１、画面情報取得部１３２、判断部１３３、および蓄積部１３４を備える。
【００３０】
端末装置２は、端末格納部２１、端末受付部２２、端末処理部２３、端末送信部２４、端末受信部２５、および端末出力部２６を備える。
【００３１】
会計情報処理装置１を構成する格納部１１には、種々の情報が格納され得る。種々の情報とは、例えば、後述する種々の画面情報、後述する入出金情報、後述する伝票データ、ユーザ情報等である。ユーザ情報とは、ユーザに関する情報である。また、ユーザ情報は、通常、ユーザを識別するユーザ識別子を有する。ユーザ識別子は、例えば、ＩＤ、メールアドレス、電話番号等であり、ユーザを識別できる情報であれば何でも良い。ユーザ情報は、例えば、ユーザの氏名、所属、住所、通知先情報等のユーザの属性値を有しても良い。通知先情報とは、通常、メールアドレスであるが、電話番号、ＦＡＸ番号、ユーザが使用する端末装置２のＩＰアドレス、ＭＡＣアドレス等でも良い。
【００３２】
画面格納部１１１には、１または２以上の画面情報が格納される。画面情報は、画面を構成するための情報である。画面情報は、例えば、端末装置２で出力される画面を構成するための情報である、画面情報は、例えば、オブジェクト表示画面情報、伝票入力画面情報、エラー画面情報である。なお、オブジェクト表示画面情報は、２以上のオブジェクトを有するオブジェクト表示画面を構成するための情報である。また、伝票入力画面情報は、伝票データを入力する画面である伝票入力画面を構成するための情報である。オブジェクト表示画面と伝票入力画面とは同じでも良い。つまり、一の画面は、２以上のオブジェクトを有し、伝票データを入力可能な画面でも良い。また、エラー画面情報は、エラー画面を構成するための情報である。また、画面情報の構造、記述言語等は問わない。画面格納部１１１には、各画面を構成する画面情報の雛形である雛形情報が格納されていることは好適である。雛形情報は、例えば、オブジェクト表示画面の雛形情報、伝票入力画面の雛形情報、エラー画面の雛形情報である。画面情報は、例えば、ＨＴＭＬ、ＸＭＬ、プログラム言語、スクリプト等で記述されている。また、画面情報は画面そのものでも良い。なお、オブジェクトは、ここでは入出金情報に対応するものであり、選択可能なものである。オブジェクトは、例えば、ボタン、メニュー項目、ＯＮ／ＯＦＦのいずれかを採り得るスイッチ、トグルスイッチ等である。また、オブジェクトの形状、色、大きさ等の属性値は問わない。なお、オブジェクトを構成する情報をオブジェクト情報と言う。
【００３３】
入出金情報格納部１１２は、１または２以上の入出金情報が格納される。入出金情報は、銀行口座に対する入出金に関する情報である。入出金情報は、ユーザ識別子に対応付いていても良い。入出金情報は、例えば、銀行口座を識別する口座識別子に対応付いている。入出金情報は、例えば、入出金情報を識別する入出金情報識別子を有する。また、入出金情報は、例えば、日付、摘要、科目、税区分、入金、出金等の情報を有する。入出金情報識別子は、例えば、ＩＤであるが、入出金情報を識別できれば何でも良い。入出金情報は、例えば、図示しない銀行サーバから受信された情報である。銀行サーバとは、銀行における取り引きを管理するサーバ装置である。銀行サーバは、銀行口座の入出金の情報を管理するサーバ装置である。
【００３４】
伝票データ格納部１１３は、１または２以上の伝票データが格納される。伝票データは、伝票についての情報である。伝票データは、ユーザ識別子に対応付いていても良い。伝票データは、例えば、日付、摘要、科目、税区分、入金、出金等の情報を有する。
【００３５】
受付部１２は、指示や情報等を受け付ける。指示や情報等とは、例えば、後述するオブジェクト表示画面指示、後述する一括登録指示、後述する選択、後述するユーザ入力データ、伝票データ、伝票入力要求である。伝票入力要求とは、伝票データの作成の要求である。伝票入力要求は、通常、ここでは入出金情報を用いた伝票データの作成の要求である。伝票入力要求は、１または２以上の入出金情報識別子を有しても良い。
【００３６】
ここで、受け付けとは、通常、端末装置２からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念であると考えても良い。
【００３７】
指示受付部１２１は、各種の指示を受け付ける。ここで、各種の指示とは、例えば、オブジェクト表示画面指示、一括登録指示である。オブジェクト表示画面指示とは、オブジェクト表示画面を出力する指示である。オブジェクト表示画面は、１以上のオブジェクトを含む画面である。オブジェクト表示画面指示は、例えば、ユーザ識別子を有する。一括登録指示とは、２以上の伝票データの登録の指示である。一括登録指示は、例えば、１以上の入出金情報識別子を有する。一括登録指示は、例えば、ユーザ識別子を有する。一括登録指示は、例えば、１以上のオブジェクト識別子を有しても良い。
【００３８】
選択受付部１２２は、出力されている２以上のオブジェクトのうちの１以上のオブジェクトの選択を受け付ける。
【００３９】
データ受付部１２３は、伝票入力画面に対して入力された情報に基づく伝票データを受け付ける。データ受付部１２３は、伝票データを構成する一部の情報であるユーザ入力データを受け付けても良い。
【００４０】
処理部１３は、各種の処理を行う。各種の処理とは、例えば、オブジェクト構成部１３１、画面情報取得部１３２、判断部１３３、蓄積部１３４が行う処理である。
【００４１】
オブジェクト構成部１３１は、２以上の各入出金情報の一部を用いて２以上のオブジェクトを構成する。オブジェクトを構成することは、例えば、オブジェクト情報を取得することである。
【００４２】
オブジェクト構成部１３１は、２以上の各入出金情報ごとに、後述する判断部１３３の判断結果を視覚的に明示するオブジェクトを構成することは好適である。判断部１３３の判断結果とは、伝票データの完成のために、入出金情報に加えて、さらに情報の入力が必要か否かの判断の結果である。
【００４３】
オブジェクト構成部１３１は、入出金情報の一部である金額または摘要のうちの１以上の情報を含むオブジェクトを構成することは好適である。オブジェクト情報に含まれる情報は、入出金情報の一部の属性値であり、予め決まれた属性値であることは好適である。なお、かかる出金情報の一部の属性値は、表示されているオブジェクト内に表出していることは好適である。
【００４４】
オブジェクト構成部１３１は、２以上の各入出金情報の一部を用いて、入出金情報の種類である種類情報が視覚的に区別可能な態様で表出している２以上のオブジェクトを構成する。種類情報は、通常、入金情報または出金情報のいずれかである。ただし、種類情報は、他の情報でも良い。
【００４５】
画面情報取得部１３２は、画面を構成するための画面情報を取得する。画面情報は、２以上のオブジェクトを有することは好適である。つまり、２以上のオブジェクトが表示される画面であることは好適である。画面情報取得部１３２は、オブジェクト構成部１３１が取得した１以上のオブジェクト情報を含む、オブジェクト表示画面情報を取得することは好適である。
【００４６】
画面情報取得部１３２は、選択受付部１２２が受け付けた選択に対応する１以上の各オブジェクトに対応する入出金情報を入出金情報格納部１１２から取得し、当該１以上の入出金情報を有する画面情報を取得することは好適である。画面情報取得部１３２は、選択受付部１２２が受け付けた選択に対応する１以上の各オブジェクトに対応する伝票データを伝票データ格納部１１３から取得し、当該１以上の伝票データを有する画面情報を取得しても良い。
【００４７】
判断部１３３は、入出金情報格納部１１２の２以上の各入出金情報が、蓄積される伝票データに対して、さらに情報の入力が必要か否かを判断する。
【００４８】
判断部１３３は、例えば、伝票データの構造を特定する情報を用いて、各入出金情報が伝票データの構造と同じ構造を有するか否かを判断する。なお、伝票データの構造を特定する情報は、通常、格納部１１に格納されている。
【００４９】
また、判断部１３３は、例えば、伝票データを構成する属性値のうち、必須の属性値を特定する情報を用いて、各入出金情報がかかる必須の属性値に対応する情報を有しているか否かを判断する。なお、必須の属性値を特定する情報は、通常、格納部１１に格納されている。
【００５０】
蓄積部１３４は、指示受付部１２１が一括登録指示を受け付けた場合に、画面情報が有する２以上の各オブジェクトに対応する入出金情報を用いて構成された２以上の伝票データを伝票データ格納部１１３に蓄積する。
【００５１】
蓄積部１３４は、判断部１３３が蓄積される伝票データに対して、さらに情報の入力が必要ない、と判断した１以上の各入出金情報を用いて構成された１以上の伝票データを伝票データ格納部１１３に蓄積することは好適である。つまり、蓄積部１３４は、判断部１３３がさらに情報の入力が必要であると判断した入出金情報に対応する伝票データは蓄積しないことは好適である。
【００５２】
出力部１４は、画面情報を出力する。出力部１４は、通常、画面情報取得部１３２が取得した画面情報を出力する。出力部１４は、例えば、オブジェクト表示画面情報を出力する。出力部１４は、例えば、一括登録処理の結果を示す結果情報を出力しても良い。出力部１４は、例えば、入出金情報または伝票データを出力する。
【００５３】
ここで、出力とは、通常、端末装置２への送信であるが、ディスプレイへの表示、プロジェクターを用いた投影、プリンタでの印字、音出力、記録媒体への蓄積、他の処理装置や他のプログラムなどへの処理結果の引渡しなどを含む概念であると考えても良い。
【００５４】
端末装置２を構成する端末格納部２１は、各種の情報を格納し得る。各種の情報とは、例えば、ユーザ識別子である。
【００５５】
端末受付部２２は、ユーザから指示や情報等を受け付ける。指示や情報等は、例えば、オブジェクト表示画面指示、一括登録指示、オブジェクトの選択、ユーザ入力データ、伝票データ等である。指示や情報等の入力手段は、タッチパネルやキーボードやマウスやメニュー画面によるもの等、何でも良い。
【００５６】
端末処理部２３は、各種の処理を行う。端末処理部２３は、例えば、端末受付部２２が受け付けた指示や情報等から、送信する指示や情報等を構成する処理である。端末処理部２３は、例えば、端末受信部２５が受信した画面情報を用いて、出力する画面を構成する。
【００５７】
端末送信部２４は、各種の指示や情報等を会計情報処理装置１に送信する。各種の指示や情報等は、例えば、オブジェクト表示画面指示、一括登録指示、オブジェクトの選択、ユーザ入力データ、伝票データ等である。
【００５８】
端末受信部２５は、各種の情報を会計情報処理装置１から受信する。各種の情報は、例えば、各種の画面情報、結果情報である。
【００５９】
端末出力部２６は、各種の情報を出力する。各種の情報とは、例えば、各種の画面、結果情報である。各種の画面は、例えば、オブジェクト表示画面である。ここで、出力とは、通常、ディスプレイへの表示であるが、外部の装置への送信、プロジェクターを用いた投影、プリンタでの印字、音出力、記録媒体への蓄積、他の処理装置や他のプログラムなどへの処理結果の引渡しなどを含む概念であると考えても良い。
【００６０】
格納部１１、画面格納部１１１、入出金情報格納部１１２、伝票データ格納部１１３、および端末格納部２１は、不揮発性の記録媒体が好適であるが、揮発性の記録媒体でも実現可能である。
【００６１】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００６２】
受付部１２、指示受付部１２１、選択受付部１２２、データ受付部１２３、および端末受信部２５は、通常、無線または有線の通信手段で実現されるが、放送を受信する手段で実現されても良い。
【００６３】
処理部１３、オブジェクト構成部１３１、画面情報取得部１３２、判断部１３３、蓄積部１３４、および端末処理部２３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００６４】
出力部１４、および端末送信部２４は、通常、無線または有線の通信手段で実現されるが、放送手段で実現されても良い。
【００６５】
端末受付部２２は、タッチパネルやキーボード等の入力手段のデバイスドライバーや、メニュー画面の制御ソフトウェア等で実現され得る。
【００６６】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００６７】
次に、会計情報システムＡの動作について説明する。まず、会計情報処理装置１の動作例について、図３のフローチャートを用いて説明する。
【００６８】
（ステップＳ３０１）指示受付部１２１は、オブジェクト表示画面指示を受け付けたか否かを判断する。オブジェクト表示画面指示を受け付けた場合はステップＳ３０２に行き、オブジェクト表示画面指示を受け付けなかった場合はステップＳ３０９に行く。なお、ここでの受け付けは、例えば、端末装置２からの受信である。
【００６９】
（ステップＳ３０２）画面情報取得部１３２は、オブジェクト表示画面の雛形情報を画面格納部１１１から読み出す。
【００７０】
（ステップＳ３０３）オブジェクト構成部１３１は、カウンタｉに１を代入する。
【００７１】
（ステップＳ３０４）オブジェクト構成部１３１は、オブジェクト表示画面指示に対応するｉ番目の入出金情報が入出金情報格納部１１２に存在するか否かを判断する。ｉ番目の入出金情報が存在する場合はステップＳ３０５に行き、存在しない場合はステップＳ３０８に行く。なお、オブジェクト表示画面指示に対応する入出金情報とは、例えば、オブジェクト表示画面指示が有するユーザ識別子に対応する入出金情報である。
【００７２】
（ステップＳ３０５）オブジェクト構成部１３１は、オブジェクト表示画面指示に対応するｉ番目の入出金情報を用いて、オブジェクトの構成処理を行う。オブジェクトの構成処理の例について、図４のフローチャートを用いて説明する。
【００７３】
（ステップＳ３０６）画面情報取得部１３２は、オブジェクト表示画面の雛形情報に、ステップＳ３０５で取得されたオブジェクト情報を付加する。
【００７４】
（ステップＳ３０７）オブジェクト構成部１３１は、カウンタｉを１、インクリメントする。ステップＳ３０４に戻る。
【００７５】
（ステップＳ３０８）出力部１４は、ステップＳ３０６で構成されたオブジェクト表示画面情報を出力する。なお、ここでの出力は、例えば、端末装置２への送信である。
【００７６】
（ステップＳ３０９）指示受付部１２１は、一括登録指示を受け付けたか否かを判断する。一括登録指示を受け付けた場合はステップＳ３１０に行き、一括登録指示を受け付けなかった場合はステップＳ３１９に行く。なお、ここでの受け付けは、例えば、端末装置２からの受信である。
【００７７】
（ステップＳ３１０）蓄積部１３４は、カウンタｉに１を代入する。
【００７８】
（ステップＳ３１１）蓄積部１３４は、入出金情報格納部１１２に、一括登録指示に対応するｉ番目の入出金情報が存在するか否かを判断する。ｉ番目の入出金情報が存在する場合はステップＳ３１２に行き、ｉ番目の入出金情報が存在しない場合はステップＳ３１８に行く。なお、一括登録指示に対応する入出金情報とは、一括登録指示が有するユーザ識別子に対応する入出金情報である。
【００７９】
（ステップＳ３１２）判断部１３３は、一括登録指示に対応するｉ番目の入出金情報は、登録される伝票データとしての要件を満たす構造を有するか否かを判断する。つまり、入出金情報がさらなる入力が必要な否かを判断する。さらなる入力が必要でない（完成されている）場合はステップＳ３１３に行き、さらなる入力が必要である（未成である）場合はステップＳ３１７に行く。
【００８０】
（ステップＳ３１３）蓄積部１３４は、ｉ番目の入出金情報に対応するユーザ入力データが存在するか否かを判断する。ユーザ入力データが存在する場合はステップＳ３１４に行き、ユーザ入力データが存在しない場合はステップＳ３１５に行く。なお、ユーザ入力データが存在する場合は、入出金情報が未完成なデータであり、ユーザが不足しているデータを入力したことにより、伝票データとして登録可能となった場合である。
【００８１】
（ステップＳ３１４）蓄積部１３４は、ｉ番目の入出金情報と、当該ｉ番目の入出金情報に対応するユーザ入力データとを用いて、蓄積する伝票データを構成する。ステップＳ３１６に行く。
【００８２】
（ステップＳ３１５）蓄積部１３４は、ｉ番目の入出金情報を用いて、蓄積する伝票データを構成する。
【００８３】
（ステップＳ３１６）蓄積部１３４は、ステップＳ３１４またはステップＳ３１５で構成した伝票データを伝票データ格納部１１３に蓄積する。
【００８４】
（ステップＳ３１７）蓄積部１３４は、カウンタｉを１、インクリメントする。ステップＳ３１１に戻る。
【００８５】
（ステップＳ３１８）出力部１４は、一括登録処理の結果を示す結果情報を出力する。なお、ここでの出力は、例えば、端末装置２への送信である。また、結果情報は、通常、一括登録が完了した旨の情報である。
【００８６】
（ステップＳ３１９）選択受付部１２２は、出力されているオブジェクトの選択を受け付けたか否かを判断する。オブジェクトの選択を受け付けた場合はステップＳ３２０に行き、オブジェクトの選択を受け付けなかった場合は、ステップＳ３２３に行く。なお、ここでの受け付けは、例えば、端末装置２からの受信である。
【００８７】
（ステップＳ３２０）画面情報取得部１３２は、オブジェクトの選択に対応する入出金情報識別子を取得する。なお、例えば、オブジェクトの選択の指示に入出金情報識別子が含まれている。
【００８８】
（ステップＳ３２１）画面情報取得部１３２は、ステップＳ３２０で取得した入出金情報識別子に対応する入出金情報を入出金情報格納部１１２から取得する。または、画面情報取得部１３２は、ステップＳ３２０で取得した入出金情報識別子に対応する伝票データを伝票データ格納部１１３から取得する。なお、通常、画面情報取得部１３２は、伝票データ格納部１１３に入出金情報識別子に対応する伝票データが存在する場合は伝票データを取得し、存在しない場合は入出金情報を取得する。
【００８９】
（ステップＳ３２２）出力部１４は、ステップＳ３２１で取得された入出金情報または伝票データを出力する。なお、ここでの出力は、例えば、端末装置２への送信である。
【００９０】
（ステップＳ３２３）データ受付部１２３は、ユーザ入力データを受け付けたか否かを判断する。ユーザ入力データを受け付けた場合はステップＳ３２４に行き、ユーザ入力データを受け付けなかった場合はステップＳ３０１に戻る。なお、データ受付部１２３は、通常、ユーザ入力データに対応する入出金情報を識別する入出金情報識別子をも受け付ける。
【００９１】
（ステップＳ３２４）処理部１３は、ステップＳ３２３で受け付けられたユーザ入力データを入出金情報に対応付けて、少なくとも一時蓄積する。ステップＳ３０１に戻る。なお、ここでの受け付けは、例えば、端末装置２からの受信である。
【００９２】
なお、図３のフローチャートにおいて、電源オフや処理終了の割り込みにより処理は終了する。
【００９３】
次に、ステップＳ３０のオブジェクト構成処理の例について、図４のフローチャートを用いて説明する。
【００９４】
（ステップＳ４０１）判断部１３３は、対応する入出金情報を取得する。
【００９５】
（ステップＳ４０２）判断部１３３は、伝票データの構成を示す構成データを格納部１１から取得する。
【００９６】
（ステップＳ４０３）判断部１３３は、ステップＳ４０２で取得した構成データを参照し、登録可能な伝票データを構成するために、ステップＳ４０１で取得した入出金情報にさらに入力が必要か否かを判断する。さらに入力が必要である場合はステップＳ４０４に行き、さらなる入力が不要である場合はステップＳ４０５に行く。
【００９７】
（ステップＳ４０４）判断部１３３は、判断結果に「未完成」を示す情報を代入する。
【００９８】
（ステップＳ４０５）判断部１３３は、判断結果に「完成」を示す情報を代入する。
【００９９】
（ステップＳ４０６）オブジェクト構成部１３１は、ステップＳ４０１で取得した入出金情報の種類情報（例えば、入金情報または出金情報を示す情報）を取得する。オブジェクト構成部１３１は、例えば、属性値「入金」に情報が存在すれば種類情報「入金情報」を取得し、属性値「出金」に情報が存在すれば種類情報「出金情報」を取得する。また、オブジェクト構成部１３１は、例えば、入出金情報が有する種類情報を取得しても良い。
【０１００】
（ステップＳ４０７）オブジェクト構成部１３１は、オブジェクトの表面の表出させる属性値をステップＳ４０１で取得した入出金情報から取得する。オブジェクトの表面の表出させる属性を特定する情報は、例えば、格納部１１に格納されている。
【０１０１】
（ステップＳ４０８）オブジェクト構成部１３１は、判断結果、種類情報、および表出させる属性値を用いて、オブジェクトを構成する。上位処理にリターンする。なお、オブジェクトを構成することは、通常、オブジェクト情報を取得することである。また、オブジェクト情報にどのような情報を含ませるかは問わない。
【０１０２】
次に、端末装置２の動作例について、図５のフローチャートを用いて説明する。
【０１０３】
（ステップＳ５０１）端末受付部２２は、オブジェクト表示画面指示を受け付けたか否かを判断する。オブジェクト表示画面指示を受け付けた場合はステップＳ５０２に行き、オブジェクト表示画面指示を受け付けなかった場合はステップＳ５０７に行く。
【０１０４】
（ステップＳ５０２）端末処理部２３は、ステップＳ５０１で受け付けられたオブジェクト表示画面指示に応じて、送信するオブジェクト表示画面指示を構成する。なお、端末処理部２３は、ユーザ識別子を端末格納部２１から取得し、当該ユーザ識別子を有するオブジェクト表示画面指示を構成する。
【０１０５】
（ステップＳ５０３）端末送信部２４は、ステップＳ５０２で構成されたオブジェクト表示画面指示を会計情報処理装置１に送信する。
【０１０６】
（ステップＳ５０４）端末受信部２５は、会計情報処理装置１からオブジェクト表示画面情報を受信したか否かを判断する。オブジェクト表示画面情報を受信した場合はステップＳ５０５に行き、オブジェクト表示画面情報を受信しなかった場合はステップＳ５０４に戻る。
【０１０７】
（ステップＳ５０５）端末処理部２３は、ステップＳ５０４で受信されたオブジェクト表示画面情報からオブジェクト表示画面を構成する。
【０１０８】
（ステップＳ５０６）端末出力部２６は、ステップＳ５０５で構成されたオブジェクト表示画面を出力する。ステップＳ５０１に戻る。
【０１０９】
（ステップＳ５０７）端末受付部２２は、一括登録指示を受け付けたか否かを判断する。一括登録指示を受け付けた場合はステップＳ５０８に行き、一括登録指示を受け付けなかった場合はステップＳ５１２に行く。
【０１１０】
（ステップＳ５０８）端末処理部２３は、ステップＳ５０１で受け付けられた一括登録指示に応じて、送信する一括登録指示を構成する。なお、端末処理部２３は、例えば、ユーザ識別子を端末格納部２１から取得し、当該ユーザ識別子を有する一括登録指示を構成する。また、端末処理部２３は、例えば、ユーザ識別子を端末格納部２１から取得し、当該ユーザ識別子と、出力されている画面に対応する１以上の入出金情報識別子とを有する一括登録指示を構成する。
【０１１１】
（ステップＳ５０９）端末送信部２４は、ステップＳ５０８で構成された一括登録指指示を会計情報処理装置１に送信する。
【０１１２】
（ステップＳ５１０）端末受信部２５は、会計情報処理装置１から一括登録の結果を示す結果情報を受信したか否かを判断する。結果情報を受信した場合はステップＳ５１１に行き、結果情報を受信しなかった場合はステップＳ５１０に戻る。
【０１１３】
（ステップＳ５１１）端末出力部２６は、ステップＳ５１０で受信された結果情報を出力する。ステップＳ５０１に戻る。
【０１１４】
（ステップＳ５１２）端末受付部２２は、入出金情報の選択（オブジェクトの選択と言っても良い。）を受け付けたか否かを判断する。入出金情報の選択を受け付けた場合はステップＳ５１３に行き、入出金情報の選択を受け付けなかった場合はステップＳ５１７に行く。
【０１１５】
（ステップＳ５１３）端末処理部２３は、ステップＳ５１２で受け付けられた入出金情報の選択に応じて、送信する入出金情報の選択指示を構成する。なお、端末処理部２３は、例えば、ユーザ識別子を端末格納部２１から取得し、当該ユーザ識別子と、選択された入出金情報を識別する入出金情報識別子とを有する選択指示を構成する。
【０１１６】
（ステップＳ５１４）端末送信部２４は、ステップＳ５１３で構成された選択指示を会計情報処理装置１に送信する。
【０１１７】
（ステップＳ５１５）端末受信部２５は、入出金情報の選択の指示に送信に応じて、会計情報処理装置１から、入出金情報または伝票データを受信したか否かを判断する。入出金情報または伝票データを受信した場合はステップＳ５１６に行き、入出金情報または伝票データを受信しなかった場合はステップＳ５１５に戻る。
【０１１８】
（ステップＳ５１６）端末出力部２６は、ステップＳ５１５で受信された入出金情報または伝票データを出力する。ステップＳ５０１に戻る。なお、端末出力部２６は、入出金情報または伝票データを１以上のオブジェクトと同一の画面内に出力することは好適である。
【０１１９】
（ステップＳ５１７）端末受付部２２は、ユーザ入力データを受け付けたか否かを判断する。ユーザ入力データを受け付けた場合はステップＳ５１８に行き、ユーザ入力データを受け付けなかった場合はステップＳ５０１に戻る。
【０１２０】
（ステップＳ５１８）端末処理部２３は、ステップＳ５１７で受け付けられたユーザ入力データを用いて、送信するデータを構成する。なお、端末処理部２３は、例えば、ユーザ識別子を端末格納部２１から取得し、当該ユーザ識別子と、選択されているオブジェクトに対応する入出金情報識別子と、入力されたユーザ入力データとを有するデータを構成する。
【０１２１】
（ステップＳ５１９）端末送信部２４は、ステップＳ５１８で構成されたデータを会計情報処理装置１に送信する。ステップＳ５０１に戻る。
【０１２２】
なお、図５のフローチャートにおいて、電源オフや処理終了の割り込みにより処理は終了する。
【０１２３】
以下、本実施の形態における会計情報システムＡの具体的な動作について説明する。会計情報システムＡの概念図は図１である。
【０１２４】
今、会計情報処理装置１の画面格納部１１１には、図示しないが、オブジェクト表示画面の雛形情報、エラー画面の雛形情報が格納されている。
【０１２５】
また、入出金情報格納部１１２には、図６に示す入出金情報管理表が格納されている。図６に示す入出金情報管理表に格納されている入出金情報は、例えば、図示しない銀行サーバ装置から受信された情報である。銀行サーバ装置は、銀行のサーバ装置である。また、入出金情報管理表の各レコードは、「ＩＤ」「口座識別子」「日付」「勘定科目コード」「勘定科目」「部門コード」「部門」「摘要」「補助科目」「取引先コード」「取引先」「取引先（カナ）」「出金」「入金」を有する。「ＩＤ」はレコードを識別する情報である。「口座識別子」は銀行口座を識別する情報であり、例えば、口座番号である。「日付」は取り引きの日付である。「勘定科目コード」は勘定科目を識別するコードである。「部門コード」は取り引きの部門を識別するコードである。「部門」は取り引きの部門である。「取引先コード」は取引先を識別するコードである。「取引先（カナ）」は取引先のカタカナ表記である。「出金」は銀行口座から出金した金額である。「入金」は銀行口座への入金の金額である。
【０１２６】
また、伝票データ格納部１１３には、図７に示す伝票管理表が格納されている、とする。伝票管理表は、伝票データを管理する表である。伝票管理表は、「ＩＤ」「ユーザ識別子」「伝票データ」「種類情報」を有する１以上のレコードを管理している。「伝票データ」は、「日付」「摘要」「科目」「税区分」「入金」「出金」を有する。「ＩＤ」はレコードを識別する情報である。「日付」は取引の日付を示す。「ユーザ識別子」は顧問先のユーザのユーザ識別子である。また、「種類情報」は、伝票データの元になるデータの種類を示す。「種類情報」は、例えば、「領収書」「銀行」「カード」または「ＮＵＬＬ」の値を採り得る。「領収書」は原始データが領収書画像であることを示す。「銀行」は原始データが入出金情報であることを示す。また、「カード」は原始データがカードの取引の情報であることを示す。
【０１２７】
また、格納部１１には、ユーザ「ｕｓｒＸ」の銀行口座の口座識別子「ＸＸＸ」がユーザ識別子「ｕｓｒＸ」に対応付けて格納されている、とする。さらに、格納部１１には、オブジェクトを構成するための属性値が「入金」または「出金」、および「取引先（カナ）」（「入金」の場合）または「摘要」（「出金」の場合）であることが管理されている、とする。
【０１２８】
かかる状況において、ユーザ「ｕｓｒＸ」は、端末装置２に対して、以下のように指示や情報を入力する、とする。
【０１２９】
まず、ユーザ「ｕｓｒＸ」は、オブジェクト表示画面指示を端末装置２に入力した、とする。次に、端末装置２の端末受付部２２は、オブジェクト表示画面指示を受け付ける。次に、端末処理部２３は、ユーザ識別子「ｕｓｒＸ」を端末格納部２１から取得し、ユーザ識別子「ｕｓｒＸ」を有するオブジェクト表示画面指示を構成する。そして、端末送信部２４は、構成されたオブジェクト表示画面指示を会計情報処理装置１に送信する。
【０１３０】
次に、会計情報処理装置１の指示受付部１２１は、ユーザ識別子「ｕｓｒＸ」を有するオブジェクト表示画面指示を受信する。
【０１３１】
次に、画面情報取得部１３２は、オブジェクト表示画面の雛形情報を画面格納部１１１から読み出す。
【０１３２】
次に、オブジェクト構成部１３１は、オブジェクト表示画面指示が有するユーザ識別子「ｕｓｒＸ」を取得する。次に、オブジェクト構成部１３１は、ユーザ識別子「ｕｓｒＸ」と対になる口座識別子「ＸＸＸ」を格納部１１から取得する。
【０１３３】
次に、判断部１３３は、口座識別子「ＸＸＸ」に対応する対応する入出金情報を取得する。ここで、判断部１３３は、図６に示す入出金情報管理表から７つの入出金情報を取得した、とする。
【０１３４】
次に、判断部１３３は、７つの各入出金情報が、伝票データとして蓄積されるために、さらなる入力が必要であるか否かを判断する。なお、ここで、判断部１３３は、例えば、入出金情報の属性値である「入金」に情報が格納されている場合（入出金情報が入金情報である場合）には、「口座識別子」「日付」「勘定科目コード」「勘定科目」「部門コード」「部門」「取引先コード」「取引先」「取引先（カナ）」に情報が格納されている場合にのみ、さらなるデータの入力が必要でない、と判断する、とする。また、判断部１３３は、例えば、入出金情報の属性値である「出金」に情報が格納されている場合（入出金情報が出金情報である場合）には、「口座識別子」「日付」「勘定科目コード」「勘定科目」「摘要」「取引先」に情報が格納されている場合にのみ、さらなるデータの入力が必要でない、と判断する、とする。
【０１３５】
つまり、判断部１３３は、図６の「ＩＤ＝１，２，３，５，７」の入出金情報に対して、さらなるデータの入力が不要である（「完成」）、と判断し、図６の「ＩＤ＝４，６」の入出金情報に対して、さらなるデータの入力が必要である（「未完成」）、と判断する。
【０１３６】
次に、オブジェクト構成部１３１は、各入出金情報の種類情報を取得する。ここで、オブジェクト構成部１３１は、図６の「ＩＤ＝１，２，３，４，６」の入出金情報に対して、「入金情報」を示す情報（例えば「１」）を取得し、図６の「ＩＤ＝５，７」の入出金情報に対して、「出金情報」を示す情報（例えば「０」）を取得する。
【０１３７】
次に、オブジェクト構成部１３１は、オブジェクトの表面の表出させる属性値を各入出金情報から取得する。つまり、オブジェクト構成部１３１は、種類情報が「入金情報」であるレコードに対して、属性値「入金」と「取引先（カナ）」の情報を取得する。また、オブジェクト構成部１３１は、種類情報が「出金情報」であるレコードに対して、属性値「出金」と「摘要」の情報を取得する。
【０１３８】
次に、オブジェクト構成部１３１は、各入出金情報に対して、取得した判断結果、種類情報、および表出させる属性値を用いて、オブジェクトを構成する。ここで、オブジェクト構成部１３１は、判断結果「完成」の場合は、チェックボックスにチェックを付加した図柄を含むオブジェクトを構成する。また、オブジェクト構成部１３１は、判断結果「未完成」の場合は、注意を喚起する「！」を有する図柄を含むオブジェクトを構成する。また、オブジェクト構成部１３１は、種類情報が「入金情報」である入出金情報に対して、「入」を有する図柄を含むオブジェクトを構成し、種類情報が「出金情報」である入出金情報に対して、「出」を有する図柄を含むオブジェクトを構成する。以上により、オブジェクト構成部１３１は、７つのオブジェクト情報を構成した、とする。
【０１３９】
次に、画面情報取得部１３２は、取得したオブジェクト表示画面の雛形情報に、構成された７つのオブジェクト情報を付加し、送信するオブジェクト表示画面情報を構成する。
【０１４０】
次に、出力部１４は、構成されたオブジェクト表示画面情報を、「ｕｓｒＸ」の端末装置２に送信する。
【０１４１】
次に、「ｕｓｒＸ」の端末装置２の端末受信部２５は、会計情報処理装置１からオブジェクト表示画面情報を受信する。次に、端末処理部２３は、受信されたオブジェクト表示画面情報からオブジェクト表示画面を構成する。そして、端末出力部２６は、構成されたオブジェクト表示画面を出力する。オブジェクト表示画面の例は、図８である。図８において、８０１は、７つのオブジェクトである。ここで、「ｕｓｒＸ」は、８０２のオブジェクトを指示した、とする。
【０１４２】
すると、端末受付部２２は、８０２に対応するオブジェクトの選択を受け付ける。次に、端末処理部２３は、受け付けられたオブジェクトの選択に応じて、送信する入出金情報の選択指示を構成する。ここで、選択指示は、ユーザ識別子「ｕｓｒＸ」および入出金情報識別子「１」を有する。そして、端末送信部２４は、構成された選択指示を会計情報処理装置１に送信する。
【０１４３】
次に、会計情報処理装置１の選択受付部１２２は、出力されているオブジェクトの選択を示す選択指示を受信する。次に、画面情報取得部１３２は、オブジェクトの選択に対応する入出金情報識別子「１」を取得する。次に、画面情報取得部１３２は、入出金情報識別子「１」に対応する入出金情報を、図６の入出金情報管理表から取得する。そして、出力部１４は、取得された入出金情報を端末装置２に送信する。
【０１４４】
次に、端末装置２の端末受信部２５は、入出金情報の選択の指示に送信に応じて、会計情報処理装置１から、入出金情報を受信する。そして、端末出力部２６は、受信された入出金情報を出力する。かかる出力例は、図９である。図９において、９０１に示すように、選択されたオブジェクト９０２に対応する入出金情報が表示されている。なお、この入出金情報９０１は、伝票データを構成する元になる情報である。また、入出金情報９０１は、伝票データとして伝票データ格納部１１３に蓄積されても良い。
【０１４５】
次に、ユーザ「ｕｓｒＸ」は、図１０の入出金情報を編集するフィールドのうち、「摘要」のフィールドに、「ＡＡＡを販売」と入力した、とする（１００１参照）ると、端末受付部２２は、ユーザ入力データを受け付ける。端末処理部２３は、受け付けられたユーザ入力データ「ＡＡＡを販売」を用いて、送信するデータを構成する。なお、端末処理部２３は、ユーザ入力データ「ＡＡＡを販売」、ユーザ識別子「ｕｓｒＸ」、選択されているオブジェクトに対応する入出金情報識別子「１」を有するデータを構成する。そして、端末送信部２４は、かかるデータを会計情報処理装置１に送信する。なお、送信されるデータは、伝票データを構成するすべての情報を含んでも良い。
【０１４６】
次に、会計情報処理装置１のデータ受付部１２３は、ユーザ入力データ「ＡＡＡを販売」、ユーザ識別子「ｕｓｒＸ」、入出金情報識別子「１」を有するデータを受信する。次に、処理部１３は、受信されたユーザ入力データ「ＡＡＡを販売」を、ユーザ識別子「ｕｓｒＸ」および入出金情報識別子「１」の入出金情報に対応付けて、少なくとも一時蓄積する。
【０１４７】
次に、ユーザ「ｕｓｒＸ」は、図１０の１００２の「一括登録」ボタンを押下した、とする。すると、端末受付部２２は、一括登録指示を受け付ける。次に、端末処理部２３は、受け付けられた一括登録指示に応じて、送信する一括登録指示を構成する。なお、ここで、端末処理部２３は、例えば、ユーザ識別子「ｕｓｒＸ」を端末格納部２１から取得し、当該ユーザ識別子を有する一括登録指示を構成した、とする。そして、端末送信部２４は、構成された一括登録指指示を会計情報処理装置１に送信する。
【０１４８】
次に、会計情報処理装置１の指示受付部１２１は、一括登録指示を受信する。そして、蓄積部１３４は、一括登録指示から「ｕｓｒＸ」を取得し、ユーザ識別子「ｕｓｒＸ」と対になる７つの入出金情報を図６の入出金情報管理表から取得する。
【０１４９】
次に、判断部１３３は、上述したアルゴリズムにより、７つの各入出金情報が、登録される伝票データとしての要件を満たす構造を有するか否かを判断する。そして、判断部１３３は、図６の「ＩＤ＝１，２，３，５，７」の入出金情報に対して、さらなるデータの入力が不要である（「完成」）、と判断し、図６の「ＩＤ＝４，６」の入出金情報に対して、さらなるデータの入力が必要である（「未完成」）、と判断する。
【０１５０】
次に、蓄積部１３４は、「ＩＤ＝１，２，３，５，７」の各入出金情報に対して、蓄積する伝票データを構成する。ここで、蓄積部１３４は、「ＩＤ＝１」の入出金情報に対して、ユーザ入力データ「ＡＡＡを販売」を含む伝票データを構成する。また、蓄積部１３４は、「ＩＤ＝２，３，５，７」の入出金情報に対して、入出金情報を用いて、伝票データを構成する。次に、蓄積部１３４は、構成した５つの伝票データを伝票データ格納部１１３に蓄積する。
【０１５１】
以上の処理により、図７の伝票管理表に７つの伝票データが一括登録された。そして、その結果、図１１に示す伝票管理表が得られた。なお、ここで、処理部１３は、例えば、伝票データを蓄積する際に使用された「ＩＤ＝１，２，３，５，７」の各入出金情報を、図６に示す入出金情報管理表から削除しても良い。また、処理部１３は、例えば、伝票データを蓄積する際に使用された「ＩＤ＝１，２，３，５，７」の各入出金情報に、対応する伝票データが蓄積された旨を示すフラグを対応付けて蓄積しても良い。なお、対応する伝票データが蓄積された旨は、起票された旨と言っても良い。
【０１５２】
以上、本実施の形態によれば、銀行口座の２以上の入出金情報を有効に利用できる。
【０１５３】
また、本実施の形態によれば、銀行口座の２以上の入出金情報を分かりやすく出力できる。
【０１５４】
また、本実施の形態によれば、銀行口座の入出金情報のオブジェクトに対する指示により、簡単に入出金情報を出力できる。
【０１５５】
また、本実施の形態によれば、銀行口座の入出金情報に対応する２以上の伝票データを一括登録できる。さらに具体的には、伝票データの登録のために、情報の追加が完了した入出金情報、または情報の追加の作業が不要な入出金情報に基づいて、２以上の伝票データを一括登録できる。
【０１５６】
また、本実施の形態によれば、伝票データの登録のために、情報の追加の作業が必要な入出金情報と、情報の追加の作業が不要な入出金情報とが容易に把握できるために、作業効率を向上させることができる。
【０１５７】
また、本実施の形態によれば、入出金情報の内容が把握しやすいオブジェクトを含む画面を出力できる。
【０１５８】
さらに、本実施の形態によれば、入出金情報の種類である種類情報が視覚的に区別可能な態様で表出している２以上のオブジェクトを構成するため、ユーザが入出金情報の種類を簡単に把握できる。
【０１５９】
なお、本実施の形態によれば、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における会計情報処理装置１を実現するソフトウェアは、例えば、以下のようなプログラムである。つまり、このプログラムは、銀行口座に対する入出金に関する２以上の入出金情報が格納される入出金情報格納部にアクセス可能なコンピュータを、前記２以上の各入出金情報の一部を用いて選択可能な２以上のオブジェクトを構成するオブジェクト構成部と、前記２以上のオブジェクトを有する画面を構成するための画面情報を取得する画面情報取得部と、前記画面情報を出力する出力部として機能させるためのプログラムである。
【０１６０】
また、図１２は、本明細書で述べたプログラムを実行して、上述した種々の実施の形態の会計情報処理装置１等を実現するコンピュータの外観を示す。上述の実施の形態は、コンピュータハードウェア及びその上で実行されるコンピュータプログラムで実現され得る。図１２は、このコンピュータシステム３００の概観図であり、図１３は、システム３００のブロック図である。
【０１６１】
図１２において、コンピュータシステム３００は、ＣＤ−ＲＯＭドライブを含むコンピュータ３０１と、キーボード３０２と、マウス３０３と、モニタ３０４とを含む。
【０１６２】
図１３において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１６３】
コンピュータシステム３００に、上述した実施の形態の会計情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１６４】
プログラムは、コンピュータ３０１に、上述した実施の形態の会計情報処理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１６５】
また、上記プログラムを実行するコンピュータは、単数であってもよく、複数であってもよい。すなわち、集中処理を行ってもよく、あるいは分散処理を行ってもよい。
【０１６６】
また、上記各実施の形態において、一の装置に存在する２以上の通信手段は、物理的に一の媒体で実現されても良いことは言うまでもない。
【０１６７】
また、上記各実施の形態において、各処理は、単一の装置によって集中処理されることによって実現されてもよく、あるいは、複数の装置によって分散処理されることによって実現されてもよい。
【０１６８】
本発明は、以上の実施の形態に限定されることなく、種々の変更が可能であり、それらも本発明の範囲内に包含されるものであることは言うまでもない。
【産業上の利用可能性】
【０１６９】
以上のように、本発明にかかる会計情報処理装置は、銀行口座の２以上の入出金情報を有効に利用できるという効果を有し、会計情報処理システムを構成するサーバ装置等として有用である。
【符号の説明】
【０１７０】
Ａ  会計情報システム
１  会計情報処理装置
２  端末装置
１１  格納部
１２  受付部
１３  処理部
１４  出力部
２１  端末格納部
２２  端末受付部
２３  端末処理部
２４  端末送信部
２５  端末受信部
２６  端末出力部
１１１  画面格納部
１１２  入出金情報格納部
１１３  伝票データ格納部
１２１  指示受付部
１２２  選択受付部
１２３  データ受付部
１３１  オブジェクト構成部
１３２  画面情報取得部
１３３  判断部
１３４  蓄積部
【図１】
2019153027.tif 000003
【図２】
2019153027.tif 000004
【図３】
2019153027.tif 000005
【図４】
2019153027.tif 000006
【図５】
2019153027.tif 000007
【図６】
2019153027.tif 000008
【図７】
2019153027.tif 000009
【図８】
2019153027.tif 000010
【図９】
2019153027.tif 000011
【図１０】
2019153027.tif 000012
【図１１】
2019153027.tif 000013
【図１２】
2019153027.tif 000014
【図１３】
2019153027.tif 000015